(57)【要約】      （修正有）【課題】体型や要望が異なるユーザーのニーズに応えることができる、傾斜角度が調整可能な椅子のクッション構造を提供する。【解決手段】クッション基材４０と、底部支持台５０と、調整器１０とを備えたクッション構造であって、底部支持台５０はクッション基材４０の下方に取り付けられる。調整器１０は、クッション基材４０および底部支持台５０の間に取り付けられる。調整器１０には、背部枢軸モジュール２０と、前部調整モジュール３０とが設けられる。背部枢軸モジュール２０はクッション基材４０および底部支持台５０に接続されて、クッション基材４０および底部支持台５０に取り付けられる。前部調整モジュール３０は、クッション基材４０の先端部と底部支持台５０に取り付けられる。前部調整モジュール３０は、クッション基材４０の傾斜角度の調整に用いる。【選択図】図１
0003194399.tif 000002
【実用新案登録請求の範囲】
【請求項１】
上面および先端部を有する底部支持台と、
前記底部支持台の上方で回転可能に取り付けられた、先端部および底面を有するクッション基材と、
前記クッション基材および前記底部支持台の間に取り付けた調整器とを備えたクッション構造であって、
前記調整器は、
前記底部支持台の上面に取り付けられ、かつ、前記クッション基材の底面に接続されて、前記クッション基材を前記底部支持台に対して回転可能にする背部枢軸モジュールと、
前記クッション基材の先端部および前記底部支持台の間に取り付けられ、前記クッション基材の前記底部支持台に対する傾斜角度を調整する前部調整モジュールと、を有するクッション構造。
【請求項２】
前記底部支持台は、前記底部支持台の先端部でその上面に形成した受け溝部を有し、
前記前部調整モジュールは、前記底部支持台に取り付けた位置決めフレームと、前記位置決めフレームと接続され、前記底部支持台の受け溝部に固定して取り付けた保持ブラケットと、前記位置決めフレームに取り付けられて前記保持ブラケットに対向し、前記クッション基材に枢動可能に接続した摺動部と、前記摺動部に取り付けた位置変更ブロックと、前記位置変更ブロックの下で前記摺動部に枢動可能に取り付けた位置決めブロックとを有する、請求項１に記載のクッション構造。
【請求項３】
前記保持ブラケットは、前記保持ブラケットの後方側に形成した歯状部を有し、
前記摺動部は、前記摺動部に取り付けた回転ロッドを有し、
前記位置決めブロックは、前記回転ロッドによって前記摺動部に枢動可能に取り付けられ、
前記位置決めブロックは、前記回転ロッド周りに取り付けられ、２つの端部を有するねじりばねを備え、前記ねじりばねの一方の前記端部は前記位置決めブロックに取り付けられ、前記ねじりばねの他方の前記端部は前記摺動部取り付けられており、
前記位置決めブロックはさらに、前記位置決めブロックに形成され、前記保持ブラケットの歯状部と係合する多数の係合歯部と、
前記位置決めブロックに形成され、前記摺動部に対向する係合凹部とを有し、
前記位置変更ブロックは、前記摺動部に移動可能に取り付けられ、前記位置変更ブロックの案内端部から突出し、前記保持ブラケットに対向するフランジを有する、請求項２に記載のクッション構造。
【請求項４】
前記摺動部は、前記摺動部に形成され、前記保持ブラケットの歯状部に対向する移動溝部と、
前記移動溝部の上方で前記摺動部に形成した鉛直溝部とを有し、
前記位置変更ブロックは、
前記位置変更ブロックの後端部に形成され、前記鉛直溝部に当接して制限を受ける突出部と、
前記位置変更ブロックの案内端部の相対する両側から突出し、前記保持ブラケットに対向する２つの突状部とを有し、
前記保持ブラケットは、前記保持ブラケットの後方側に形成されて前記歯状部の両側に配置され、前記突状部に位置対応する２つの制限孔部を有する、請求項３に記載のクッション構造。
【請求項５】
前記位置変更ブロックは、
前記突状部にそれぞれ形成した２つのねじ部と、
前記ねじ部に対して垂直な前記突状部の各外面に取付けられ、それぞれ前記制限孔部の内壁に当接する２つの弾性材とを有する、請求項４に記載のクッション構造。
【請求項６】
前記背部枢軸モジュールは、
前記クッション基材の底面に間隔をおいて取り付けた２つの上部枢軸ホルダーと、
前記底部支持台の上面に取り付けられ、それぞれ前記上部枢軸ホルダーと連結される２つの下部枢軸ホルダーと、
前記上部枢軸ホルダーと前記下部枢軸ホルダーにそれぞれ枢動可能に接続した２つの枢軸ピンとを有する、請求項１に記載のクッション構造。
【請求項７】
前記背部枢軸モジュールは、
前記クッション基材の底面に間隔をおいて取り付けた２つの上部枢軸ホルダーと、
前記底部支持台の上面に取り付けられ、それぞれ前記上部枢軸ホルダーと連結される２つの下部枢軸ホルダーと、
前記上部枢軸ホルダーと前記下部枢軸ホルダーにそれぞれ枢動可能に接続した２つの枢軸ピンとを有する、請求項２に記載のクッション構造。
【請求項８】
前記背部枢軸モジュールは、
前記クッション基材の底面に間隔をおいて取り付けた２つの上部枢軸ホルダーと、
前記底部支持台の上面に取り付けられ、それぞれ前記上部枢軸ホルダーと連結される２つの下部枢軸ホルダーと、
前記上部枢軸ホルダーと前記下部枢軸ホルダーにそれぞれ枢動可能に接続した２つの枢軸ピンとを有する、請求項３に記載のクッション構造。
【請求項９】
前記背部枢軸モジュールは、
前記クッション基材の底面に間隔をおいて取り付けた２つの上部枢軸ホルダーと、
前記底部支持台の上面に取り付けられ、それぞれ前記上部枢軸ホルダーと連結される２つの下部枢軸ホルダーと、
前記上部枢軸ホルダーと前記下部枢軸ホルダーにそれぞれ枢動可能に接続した２つの枢軸ピンとを有する、請求項４に記載のクッション構造。
【請求項１０】
前記背部枢軸モジュールは、
前記クッション基材の底面に間隔をおいて取り付けた２つの上部枢軸ホルダーと、
前記底部支持台の上面に取り付けられ、それぞれ前記上部枢軸ホルダーと連結される２つの下部枢軸ホルダーと、
前記上部枢軸ホルダーと前記下部枢軸ホルダーにそれぞれ枢動可能に接続した２つの枢軸ピンとを有する、請求項５に記載のクッション構造。
【請求項１１】
前記保持ブラケットは前記保持ブラケットの相対する両縁端部から突出する２つのパネルを有し、前記摺動部を前記パネルの間に配置した、請求項２に記載のクッション構造。
【請求項１２】
前記保持ブラケットは前記保持ブラケットの相対する両縁端部から突出する２つのパネルを有し、前記摺動部を前記パネルの間に配置した、請求項３に記載のクッション構造。
【請求項１３】
前記保持ブラケットは前記保持ブラケットの相対する両縁端部から突出する２つのパネルを有し、前記摺動部を前記パネルの間に配置した、請求項４に記載のクッション構造。
【請求項１４】
前記保持ブラケットは前記保持ブラケットの相対する両縁端部から突出する２つのパネルを有し、
前記摺動部を前記パネルの間に配置した、請求項５に記載のクッション構造。
【考案の詳細な説明】
【技術分野】
【０００１】
本考案はクッション構造に関し、特に、傾斜角度が調整可能なクッション構造に関する。
【背景技術】
【０００２】
従来の椅子には、特定の固定傾斜角度に設計したクッションが備えられており、顧客は個々の要望に沿って、好適な椅子を購入する必要がある。傾斜角度が固定されている従来の椅子のクッションには以下の問題点がある。
【０００３】
１．身長や体型が異なる各ユーザにとって、傾斜角度を固定した従来の椅子のクッションは不向きである。
【０００４】
２．クッションの詰め物は使用期間が長くなると変形し、クッションの傾斜角度を変えてしまうことがある。従来の椅子のクッションでは、傾斜角度が変わるとユーザに快適な座り心地を提供できない。
【０００５】
３．ユーザが従来の椅子のクッションに着座すると、ユーザの体の姿勢は、例えば、気楽に本を読んでいる、仕事に傾注している等、その時ユーザが何をしているかにより変わることがあり、傾斜角度を固定した従来の椅子のクッションは、ユーザの様々な要望に適応することができない。
【０００６】
上記問題点を克服するため、本考案は、これらの問題点を軽減または回避するクッション構造を提供する。
【考案の概要】
【考案が解決しようとする課題】
【０００７】
本考案の主な目的は、その傾斜角度を調整可能なクッション構造を提供することである。本考案は、傾斜角度を調整することで、体型や使用ニーズが異なる別々のユーザに対応することができる。
【課題を解決するための手段】
【０００８】
上記クッション構造は、クッション基材と、底部支持台と、調整器とを備える。底部支持台はクッション基材の下方に取り付けられ、調整器はクッション基材と底部支持台との間に取り付けられる。調整器には、背部枢軸モジュールおよび前部調整モジュールが設けられている。背部枢軸モジュールは、クッション基材および底部支持台に接続されて、クッション基材および底部支持台に取り付けられる。前部調整モジュールは、クッション基材の先端部および底部支持台に取り付けられる。前部調整モジュールは、クッション基材の傾斜角度の調整に用いる。
【考案の効果】
【０００９】
本考案の他の目的、利点、新規構成は、添付図面を参照して以下に記載する詳細な説明により、さらに明らかになるであろう。
【図面の簡単な説明】
【００１０】
【図１】本考案によるクッション構造の斜視図である。
【図２】図１に示すクッション構造のクッション基材と底部支持台の分解図である。
【図３】図１に示すクッション構造の前部調整モジュールの斜視図である。
【図４】図１に示すクッション構造の前部調整モジュールの正面図である。
【図５】図１に示すクッション構造の前部調整モジュールの分解図である。
【図６】図１に示すクッション構造の前部調整モジュールの別の分解図である。
【図７】図４の７−７線に沿った、クッション構造の前部調整モジュールの断面側面図である。
【図８】図７に示すクッション構造の調整モジュールの操作における側面図である。
【考案を実施するための形態】
【００１１】
図１を参照すると、本考案によるクッション構造は、底部支持台５０と、クッション基材４０と、調整器１０とを備えている。底部支持台５０は、上面と、先端部と、受け溝部５１とが設けられている。受け溝部５１は、底部支持台５０の先端部で、その上面に形成されている。クッション基材４０は、底部支持台５０の上方に回転可能に取り付けられており、先端部および底面を有している。
【００１２】
調整器１０は、クッション基材４０および底部支持台５０の間に取り付けられる。調整器１０は、背部枢軸モジュール２０および前部調整モジュール３０を備えている。図２を参照すると、背部枢軸モジュール２０は、クッション構造の後端部で、クッション基材４０と底部支持台５０の間に取り付けられている。背部枢軸モジュ−ル２０には、２つの上部枢軸ホルダー２１と、２つの下部枢軸ホルダー２２と、２つの枢軸ピン２３とが設けられている。上部枢軸ホルダー２１は、クッション基材４０の底面に、間隔をおいて取り付けられている。下部枢軸ホルダー２２は、底部支持台５０の上面に取り付けられ、それぞれ上部枢軸ホルダー２１と連結される。枢軸ピン２３はそれぞれ、上部枢軸ホルダー２１および下部枢軸ホルダー２２に枢動可能に接続され、クッション基材４０を底部支持台５０に対して回転可能としている。
【００１３】
前部調整モジュール３０は、クッション構造の先端部で、クッション基材４０および底部支持台５０の間に取り付けられている。前部調整モジュ−ル３０は、位置決めフレーム３１と、保持ブラケット３２と、摺動部３３と、位置変更ブロック３４と、位置決めブロック３５とを備えている。位置決めフレーム３１は内部が空洞であり、位置決めフレーム３１の背部に形成した位置決め板部３１１を有している。位置決め板部３１１は、底部支持台５０の受け溝部５１に固定して取り付けることで、位置決めフレーム３１を底部支持台５０に対して固定保持している。
【００１４】
保持ブラケット３２は位置決めフレーム３１に接続し、底部支持台５０の受け溝部５１に固定して取り付けている。図３〜４および６を参照すると、保持ブラケット３２には、保持ブラケット３２の相対する両縁端部から突出する２つのパネル３２１と、保持ブラケット３２の後方側に形成され、パネル３２１の間に取り付けた歯状部３２２と、保持ブラケット３２の後方側かつ歯状部３２２の相対する両側に形成した２つの制限孔部３２３とが設けられている。
【００１５】
図５および６を参照すると、摺動部３３は位置決めフレーム３１に取り付けられ、パネル３２１の間で保持ブラケット３２に対向する。摺動部３３には、枢軸ロッド３３１と、移動溝部３３２と、鉛直溝部３３３と、傾斜溝部３３４と、回転ロッド３３５とが設けられる。枢軸ロッド３３１は、摺動部３３の上縁端部に突出形成され、クッション基材４０に枢動可能に接続されている。移動溝部３３２は、摺動部３３に貫通形成され、保持ブラケット３２の歯状部３２２に対向する。鉛直溝部３３３は、移動溝部３３２の上方で摺動部３３に形成され、移動溝部３３２と連通している。傾斜溝部３３４は、移動溝部３３２の内面に凹形成されている。回転ロッド３３５は、摺動部３３に取り付けられ、移動溝部３３２内に位置付ける。
【００１６】
図５〜７を参照すると、位置変更ブロック３４は、摺動部３３の移動溝部３３２に移動可能に取り付けられる。位置変更ブロック３４には、突出部３４１と、２つの突状部３４２と、２つのねじ部３４３と、フランジ３４４と、２つの弾性材３４５とが形成されている。突出部３４１は、位置変更ブロック３４の後端部に形成され、鉛直溝部３３３に当接して制限を受ける。これにより、位置変更ブロック３４は、摺動部３３に対してのみ、鉛直方向に移動可能になる。突状部３４２は、位置変更ブロック３４の案内端部の相対する両側から突出し、保持ブラケット３２に対向する。ねじ部３４３は、突状部３４２にそれぞれ形成されている。フランジ３４４は、突状部３４２の下で、位置変更ブロック３４の案内端部に突出形成され、保持ブラケット３２に対向する。弾性材３４５は、ねじ部３４３に対して垂直な位置変更ブロック３４の各外面にそれぞれ取付けられている。
【００１７】
位置決めブロック３５は、位置変更ブロック３４の下で、摺動部３３の回転ロッド３３５周りに移動溝部３３２に枢動可能に取り付けられて、位置変更ブロック３４に対して押し付けられる。位置決めブロック３５は、位置決め穴３５１と、係合凹部３５２と、多数の係合歯部３５３とを有している。
【００１８】
位置決め穴３５１は、位置決めブロック３５の一側面に形成されている。位置決めブロック３５にはねじりばね３５４が設けられている。ねじりばね３５４は、移動溝部３３２に回転ロッド３３５周りに取り付けられ、２つの端部を有している。ねじりばね３５４の一方の端部は位置決め穴３５１に取り付けられ、ねじりばね３５４の他方の端部は、傾斜溝部３３４に取り付けられ、傾斜溝部３３４の内面に押し付けられる。係合凹部３５２は、位置決めブロック３５に形成され、摺動部３３の移動溝部３３２に対向する。係合歯部３５３は、位置決めブロック３５に形成されて、保持ブラケット３２の歯状部３２２と係合する。
【００１９】
これにより、位置変更ブロック３４は、制限孔部３２３および鉛直溝部３３３に沿って、鉛直方向に移動可能になる。位置変更ブロック３４の安定移動を維持できるように、各弾性材３４５は制限孔部３２３の２つの内壁に当接する。
【００２０】
図１および７〜８を参照すると、クッション構造の傾斜角度を調整するには、クッション基材４０を外力により引っ張り上げ、背部枢軸モジュールにより底部支持台５０に対して回転させる。そうすると、係合歯部３５３は歯状部３２２と係合する。これにより、摺動部３３は、保持ブラケット３２に対して上方へ移動可能になる。位置決めブロック３５は揺動状態にあり、フランジ３４４により押圧されてねじりばね３５４を圧縮し、係合歯部３５３は歯状部３２２から離脱する。摺動部３３を所望の角度に移動した後、摺動部３３に対する引張力は止まり、位置決めブロック３５はねじりばね３５４により押圧される。これにより、係合部３５３は歯状部３２２と再び係合し、底部支持部５０に対するクッション基材４０の所望傾斜角度を調整する。
【００２１】
摺動部３３を降下させる必要がある場合は、クッション基材４０を基準状態に近くなるまで移動する。摺動部３３を同様に外力により引っ張り上げ、位置決めブロック３５を摺動部３３とともに上方へ移動させる。位置変更ブロック３４のフランジ３４４が、位置決めブロック３５を押圧して回転ロッド３３５に対して強制的に揺動させ、これにより、係合歯部は歯状部３２２から離脱する。この時点で、クッション基材４０を押し下げて、背部枢軸モジュール２０により、底部支持台５０に対して回転させることができる。位置決めブロック３５が摺動部３３とともに下方へ移動すると、位置変更ブロック３４もまた下方へ移動するが、位置変更ブロック３４の当接力は次第に弱まり、ねじりばね３５４のねじり力より小さくなる。これにより、位置決めブロック３５の係合歯部３５３は歯状部３２２と再び係合し、クッション基材４０の傾斜角度が再度調整、固定する。
【００２２】
本考案によるクッション構造の傾斜角度は、調整器１０の背部枢軸モジュール２０および前部調整モジュール３０を用いることで、調整可能である。したがって、このクッション構造は、その傾斜角度を調整することで、体型や使用ニーズが異なる別々のユーザのニーズに応えることができる。
【００２３】
以上、本考案の数々の特徴や利点を、その構造や技術的特長の詳細とともに説明したが、本開示はあくまで例示であって、その詳細、特に各部の形状、大きさ、配置に対して、添付請求項の記載事項が指し示す趣旨の範囲内で、本考案の原則を逸脱することなく、変更を加えることが可能である。
【図１】
0003194399.tif 000003
【図２】
0003194399.tif 000004
【図３】
0003194399.tif 000005
【図４】
0003194399.tif 000006
【図５】
0003194399.tif 000007
【図６】
0003194399.tif 000008
【図７】
0003194399.tif 000009
【図８】
0003194399.tif 000010